(57)【特許請求の範囲】
【請求項１】
キー、スイッチケース、位置決め手段、揺動接触手段、合金片で組成した電源スイッチ装置において、
キーは、その下方に凹溝を具え、該凹溝に一つの弾性手段が組み付けられ、凹溝の一側面に環状階段状道が凹設され、該環状階段状道の中間に多角凸部が凸設され、キーに一つの押圧部が設けられ、
スイッチケースは、側辺が開口状の中空ケース体とされ、その上端に開口があり、該開口に前述のキーが組み付けられ、スイッチケースに挿入された第１接触端子、第２接触端子の上方に揺動接触手段が連接され、
合金片は、両側に形成された支持足と一つの弾性片を具え、並びに第１接点が結合され、
位置決め手段は、略長条片状とされ、位置決めロッドが組み付けられ、該位置決めロッドがキーの環状階段状道に進入し、
揺動接触手段は、第２接触端子の上方に組み付けられ、並びに第２接触端子を中心として揺動可能であり、その上に第２接点が結合され、
該キーを押すことにより、該キーの下方側面の環状階段状道と位置決めロッドが循環定位を発生し、キーが下向き或いは上向きに位置決めされる時、該キーの底部が揺動接触手段を押動或いは釈放することにより、揺動接触手段の接点を合金片の接点に接触或いは分離させて、電気回路のオン或いはオフ状態を形成し、電流オーバーロードで過熱時に、合金片が温度上昇により伸長してひずみ、該合金片が跳脱し並びにその接点が揺動接触手段の接点との接触を解消することにより電気回路のオフ状態を形成すると同時に、該合金片が位置決め手段を押動し、位置決めロッドを環状階段状道の定位点より離脱させ、キーがもとの回路遮断位置に弾性回復することを特徴とする、スイッチブレーカ装置。
【請求項２】
前記キーの凹溝中に設置された弾性手段が圧縮バネとされたことを特徴とする、請求項１に記載のスイッチブレーカ装置。
【請求項３】
前記キーの下方に設けられた押圧部が片状体とされたことを特徴とする、請求項１に記載のスイッチブレーカ装置。
【請求項４】
前記スイッチケースに第１接触端子、第２接触端子の挿入に供される第１挿入溝、第２挿入溝が開設されたことを特徴とする、請求項１に記載のスイッチブレーカ装置。
【請求項５】
前記スイッチケースの内部側壁に少なくとも一つの凸棒が設けられ、位置決め手段に該凸棒に対応する凸棒孔が設けられたことを特徴とする、請求項１に記載のスイッチブレーカ装置。
【請求項６】
前記位置決め手段の凸棒孔が長形孔とされて、凸棒に対する相対往復運動を形成することを特徴とする、請求項５に記載のスイッチブレーカ装置。
【請求項７】
前記スイッチケースの内部側壁に一つのストッパロッドが設けられ、該ストッパロッドが合金片の弾性片に当接し、弾性片の過度のひずみを防止すると共に、弾性片が左向きに弾性回復する支持支点を提供することを特徴とする、請求項１に記載のスイッチブレーカ装置。
【請求項８】
前記第２接触端子の上方に、揺動接触手段の放置連接用の凹溝が形成されたことを特徴とする、請求項１に記載のスイッチブレーカ装置。
【請求項９】
前記第２接触端子の上方に凹溝が開設され、この凹溝中に位置決め凹溝が形成され、該揺動接触手段の下方に該位置決め凹溝に対応する位置決め凸塊が形成されたことを特徴とする、請求項１に記載のスイッチブレーカ装置。
【請求項１０】
前記揺動接触手段に一つの弾性手段が組み合わされ、この弾性手段の一端がスイッチケースに組み付けられたことを特徴とする、請求項１に記載のスイッチブレーカ装置。
【請求項１１】
前記揺動接触手段に組み合わされた弾性手段が円弧状に形成され、並びに少なくとも一つの係止足で揺動接触手段の結合凹部に接合されたことを特徴とする、請求項１０に記載のスイッチブレーカ装置。
【請求項１２】
前記位置決め手段に一つの位置決め部が組み合わされ、該位置決め部の一端が折り曲げられて位置決めロッドが形成され、該位置決めロッドが位置決め手段を貫通し並びに前述の環状階段状道に進入することを特徴とする、請求項１に記載のスイッチブレーカ装置。
【請求項１３】
前記位置決め手段の、合金片に近い一端に、押動片が形成されたことを特徴とする、請求項１に記載のスイッチブレーカ装置。
【請求項１４】
前記位置決め手段に一つの弾性係止手段が組み合わされ、該弾性係止手段が位置決めロッドを環状階段状道に当接させる弾力を提供することを特徴とする、請求項１に記載のスイッチブレーカ装置。
【請求項１５】
前記揺動接触手段の上方に穿孔が開設され、この穿孔に第２接点が結合されたことを特徴とする、請求項１に記載のスイッチブレーカ装置。
【発明の詳細な説明】
【０００１】
【発明の属する技術分野】
本発明は一種のスイッチブレーカ装置に関する。
【０００２】
【従来の技術】
一般に電源スイッチの操作は、通電と遮断の二種類の動作行程を完全に手動制御する。しかし、電力供給の不安定な地区では、時として電流オーバーロードの状況が発生し、このときこの現象に気づかず継続使用すると、オーバーロードによる過熱を形成し、電線より出火して時には火災までも引き起こすことがあり、スイッチの使用の潜在危機を形成した。このためスイッチの更なる改良が求められていた。
【０００３】
改良後のスイッチは、内部に二種類以上の金属金属材料で構成された合金部材を具え、その過熱により発生する変形現象により、オーバーロード時に自動的に弾開し電源を切断する。このようなスイッチ構造の特許は数多くあり、例えば米国特許第５，７８６，７４２号、第５，２２３，８１３号、第４，９７３，５４８号、第４，６６１，６６７号、第５，２２３，８１３号、第４，９３１，７６２号、第５，４５１，７２９号、第４，７０４，５９４号などがある。
【０００４】
例えば、第４，９３７，５４８号には合金片、合金片の作動を受けるてこ棒、及びカム作動部品が、シーソー式作動器と組み合わされて、二つの接点を接触或いは分離させられ、並びに合金片が受熱変形時にてこ棒をシフトさせ、カム作動部品に支持を失わせ、跳脱回路遮断を行う。電流オーバーロードの反応は直接合金片に発生する。この技術において、合金片でてこ棒、カム作動部品を作動させ、シーソー式作動器と構成する間接方式を採用しているため、リード片、接点の分離反応が遅延し、即刻反応できず、オーバーロードの電流が一瞬に接点を通過して電器に流入し、このため電器毀損の状況を発生することがあった。また、リード片と合金片の間を別に設けた電線で連接する必要があり、構造が複雑となり製造が容易でなくなる欠点を有していた。且つ合金片が、シーソー式作動器とてこ棒跳脱の任務を共に負担するため、誤動作の恐れがあった。
【０００５】
また、前述の従来の技術中、米国特許第５，７８６，７４２号には合金片の過熱変形を利用して限位シートを押動し、これによりキーを跳脱させさらに自動復帰させる構造が記載されている。しかしそのキーは直接接点上に作動し、オーバーロード時に接点が連通して危険を発生し、且つ構造が複雑であった。ゆえにこれらの従来の技術はオーバーロード過熱の電力使用の危険を解決するとはいえ、却って、反応が緩慢で、構造が複雑であるなどの欠点を有しており、理想的とはいえず、ゆえにさらなる改善が求められていた。
【０００６】
【発明が解決しようとする課題】
本発明の主要な目的は、一種のスイッチブレーカ装置を提供することにあり、それは、簡単な構成で連動行程が快速であり、電流オーバーロード時に迅速有効に反応して自動跳脱回路切断機能を達成し、電線の過熱による出火を防止し、電力使用の安全性を確保する装置であるものとする。
【０００７】
本発明のもう一つの目的は、一種のスイッチブレーカ装置を提供することにあり、それは、簡単な組成構造により全体の組立が容易で、製造コストを下げることができると共に、操作時の故障を減少できるようにした装置であるものとする。
【０００８】
【課題を解決するための手段】
請求項１の発明は、キー、スイッチケース、位置決め手段、揺動接触手段、合金片で組成した電源スイッチ装置において、
キーは、その下方に凹溝を具え、該凹溝に一つの弾性手段が組み付けられ、凹溝の一側面に環状階段状道が凹設され、該環状階段状道の中間に多角凸部が凸設され、キーに一つの押圧部が設けられ、
スイッチケースは、側辺が開口状の中空ケース体とされ、その上端に開口があり、該開口に前述のキーが組み付けられ、スイッチケースに挿入された第１接触端子、第２接触端子の上方に揺動接触手段が連接され、
合金片は、両側に形成された支持足と一つの弾性片を具え、並びに第１接点が結合され、
位置決め手段は、略長条片状とされ、位置決めロッドが組み付けられ、該位置決めロッドがキーの環状階段状道に進入し、
揺動接触手段は、第２接触端子の上方に組み付けられ、並びに第２接触端子を中心として揺動可能であり、その上に第２接点が結合され、
該キーを押すことにより、該キーの下方側面の環状階段状道と位置決めロッドが循環定位を発生し、キーが下向き或いは上向きに位置決めされる時、該キーの底部が揺動接触手段を押動或いは釈放することにより、揺動接触手段の接点を合金片の接点に接触或いは分離させて、電気回路のオン或いはオフ状態を形成し、電流オーバーロードで過熱時に、合金片が温度上昇により伸長してひずみ、該合金片が跳脱し並びにその接点が揺動接触手段の接点との接触を解消することにより電気回路のオフ状態を形成すると同時に、該合金片が位置決め手段を押動し、位置決めロッドを環状階段状道の定位点より離脱させ、キーがもとの回路遮断位置に弾性回復することを特徴とする、スイッチブレーカ装置としている。
請求項２の発明は、前記キーの凹溝中に設置された弾性手段が圧縮バネとされたことを特徴とする、請求項１に記載のスイッチブレーカ装置としている。
請求項３の発明は、前記キーの下方に設けられた押圧部が片状体とされたことを特徴とする、請求項１に記載のスイッチブレーカ装置としている。
請求項４の発明は、前記スイッチケースに第１接触端子、第２接触端子の挿入に供される第１挿入溝、第２挿入溝が開設されたことを特徴とする、請求項１に記載のスイッチブレーカ装置としている。
請求項５の発明は、前記スイッチケースの内部側壁に少なくとも一つの凸棒が設けられ、位置決め手段に該凸棒に対応する凸棒孔が設けられたことを特徴とする、請求項１に記載のスイッチブレーカ装置としている。
請求項６の発明は、前記位置決め手段の凸棒孔が長形孔とされて、凸棒に対する相対往復運動を形成することを特徴とする、請求項５に記載のスイッチブレーカ装置としている。
請求項７の発明は、前記スイッチケースの内部側壁に一つのストッパロッドが設けられ、該ストッパロッドが合金片の弾性片に当接し、弾性片の過度のひずみを防止すると共に、弾性片が左向きに弾性回復する支持支点を提供することを特徴とする、請求項１に記載のスイッチブレーカ装置としている。
請求項８の発明は、前記第２接触端子の上方に、揺動接触手段の放置連接用の凹溝が形成されたことを特徴とする、請求項１に記載のスイッチブレーカ装置としている。
請求項９の発明は、前記第２接触端子の上方に凹溝が開設され、この凹溝中に位置決め凹溝が形成され、該揺動接触手段の下方に該位置決め凹溝に対応する位置決め凸塊が形成されたことを特徴とする、請求項１に記載のスイッチブレーカ装置としている。
請求項１０の発明は、前記揺動接触手段に一つの弾性手段が組み合わされ、この弾性手段の一端がスイッチケースに組み付けられたことを特徴とする、請求項１に記載のスイッチブレーカ装置としている。
請求項１１の発明は、前記揺動接触手段に組み合わされた弾性手段が円弧状に形成され、並びに少なくとも一つの係止足で揺動接触手段の結合凹部に接合されたことを特徴とする、請求項１０に記載のスイッチブレーカ装置としている。
請求項１２の発明は、前記位置決め手段に一つの位置決め部が組み合わされ、該位置決め部の一端が折り曲げられて位置決めロッドが形成され、該位置決めロッドが位置決め手段を貫通し並びに前述の環状階段状道に進入することを特徴とする、請求項１に記載のスイッチブレーカ装置としている。
請求項１３の発明は、前記位置決め手段の、合金片に近い一端に、押動片が形成されたことを特徴とする、請求項１に記載のスイッチブレーカ装置としている。
請求項１４の発明は、前記位置決め手段に一つの弾性係止手段が組み合わされ、該弾性係止手段が位置決めロッドを環状階段状道に当接させる弾力を提供することを特徴とする、請求項１に記載のスイッチブレーカ装置としている。
請求項１５の発明は、前記揺動接触手段の上方に穿孔が開設され、この穿孔に第２接点が結合されたことを特徴とする、請求項１に記載のスイッチブレーカ装置としている。
【０００９】
【発明の実施の形態】
本発明のスイッチブレーカ装置は、キー、スイッチケース、位置決め手段、スイングコンタクト、合金片で組成されたブレーカ装置であり、キーを押すと、キーに設けられた環状階段状路と位置決め手段に設けられた位置決めロッドが連動して循環位置決め関係を発生し、キーを下向き或いは上向きに位置決めする時、該キーの底部がスイングコンタクトを押動させるか或いは釈放し、スイングコンタクトの接点が合金片の接点と接触或いは分離し、回路の導通或いは遮断状態を形成する。回路が導通状態で、電流がオーバロードで過熱する時、合金片が温度上昇により伸長してひずみ、該合金片が跳脱してその接点がスイングコンタクトの接点との接触より離脱し、回路を遮断し、また合金片が位置決め手段を押動して位置決め手段の位置決め棒を環状階段状道の位置決め点より離脱させ、キーをもとの回路遮断位置に弾性により回復させ、電力使用の安全を確保する。
【００１０】
【実施例】
図１、３に示されるように、本発明は一種のスイッチブレーカ装置を提供する。それは、以下を具えている。
【００１１】
キー１は、その下方に凹溝１１を具え、該凹溝１１に一つの弾性手段１４が組み付けられ、本実施例では該弾性手段１４は圧縮バネとされ、該キー１を上向きに付勢する弾力を提供し、凹溝１１の一側面に多角状の環状階段状道１２が凹設され、該環状階段状道１２の中間に多角凸部１２１が凸設され、キー１の下方に別に一つの片状の押圧部１３が連設されている。
【００１２】
スイッチケース２は、側辺が開口状の中空ケース体とされ、その上端に開口２１があり、内部に係止凹溝２１１と位置決め凹部２１２が設けられ、該開口２１に前述のキー１が組み付けられ、スイッチケース２の底面に第１挿入溝２２、第２挿入溝２３が開設され、それぞれ第１接触端子２４、第２接触端子２５が挿入され、第２接触端子２５の上方が板状体とされ、板状体に一つの凹溝２５１が形成され、該凹溝２５１中に、少なくとも一つの位置決め凹溝２５２が設けられ、該スイッチケース２の内部側壁に一つの穿孔２６、少なくとも一つの凸棒２７及び一つのストッパロッド２８が設けられ、スイッチケース２の四周に複数の結合孔２９が設けられている。
【００１３】
カバー２０は、該スイッチケース２の結合孔２９に対応する複数の結合孔２０１を具え、結合手段２０２でスイッチケース２に組み合わされ、本実施例では該結合手段２０２はリベットとされる。
【００１４】
合金片３は、両側に形成された支持足３１と二つの支持足３１の間に形成された一つの弾性片３２を具え、該弾性片３２に一つの穿孔３３が設けられ、該穿孔３３に第１接点３４が結合される。
【００１５】
位置決め手段４は、略長条片状とされ、一つの位置決め部４０が組み合わされ、該位置決め部４０の一端が折り曲げられて位置決めロッド４１が形成され、該位置決めロッド４１が位置決め手段４に開設された位置決めロッド孔４１１を貫通し並びに前述の環状階段状道１２中に進入し、位置決め部４０の下端が折り曲げられてスイッチケース２の穿孔２６中に組み合わされ、その外側にさらに弾性係止手段４５が組み付けられ、該弾性係止手段４５の一端がスイッチケース２の係止凹溝２１１に固定されて、位置決めロッド４１に環状階段状道１２に向けて当接する弾力を提供し、位置決め手段４において、スイッチケース２の凸棒２７に対応する位置に、それぞれ対応する凸棒孔４２、４３が設けられ、該凸棒孔４２、４３が長形孔とされて凸棒２７がそれを貫通し並びに横向きの往復運動可能とされ、別に、位置決め手段４の合金片３に近い一端に、押動片４４が形成されている。
【００１６】
揺動接触手段５は、折り曲げられた片体とされ、片体の下方両端にそれぞれ位置決め凸塊５１が設けられ、該位置決め凸塊５１が、前述の第２接触端子２５の上方の凹溝２５１及び位置決め凹溝２５２に対応して置かれ、該揺動接触手段５が凹溝２５１中で自由に揺動しまた移動しない。揺動接触手段５中段両側には結合凹部５２が設けられ、上方に穿孔５３が開設され、穿孔５３が第２接点５４に結合されている。揺動接触手段５に別に一つの弾性手段５５が組み合わされ、該弾性手段５５が円弧状に形成され、並びに延設された少なくとも一つの係止足５５１が結合凹部５２に接合され、弾性手段５５の一端がスイッチケース２の位置決め凹部２１２に組み付けられ、並びに該揺動接触手段５に弾性回復力を提供し、即ち垂直状傾向とする弾力を提供する。
【００１７】
まず、図３を参照されたい。図３は本発明の実施例の組合せ後の断面図である。これは本発明の実施例のオフの状況を示す。この時、キー１は弾性手段１４（圧縮バネ）の弾力により上向きに支持され、キー１下方の押圧部１３の下端面が僅かに弾性手段５５の弯曲面に接触し、ゆえに該揺動接触手段５を押動せず、該弾性手段５５の弾力がスイッチケース２上壁の位置決め凹部２１２を押圧し、該揺動接触手段５全体がほぼ垂直状態に保持され、第２接点５４と第１接点３４は分離状態を呈し、電気回路はオフの状態を呈する。
【００１８】
図６中、ａを参照されたい。一般に回路がオフの状態の時、この位置決め手段４の位置決めロッド４１はキー１の環状階段状道１２の下端位置にある。
【００１９】
本発明は、回路がオフ状態からオン状態になる時、図６に示されるように、使用者がキー１を押すと、凹溝１１中に位置する弾性手段（圧縮バネ）１４が圧縮されて上向きに回復する弾力を蓄積する。これは図６中、ａに示されるとおりであり、左側が比較的突出する制限のため、該位置決めロッド４１が逆時計回りの方向に、環状階段状道１２に沿って移動して右上角に至る。これは図６中、ｂに示されるとおりである。そして使用者がキー１を釈放すると、キー１全体が弾性手段（圧縮バネ）１４の回復弾力を受けて上向きに弾回し、位置決めロッド４１が逆時計回りの方向に、環状階段状道１２の経路に沿って多角凸部１２１の頂点に至り、即ち回路がオンとなる位置に至る。これは図６中、ｃに示されるとおりである。
【００２０】
また、図４の本発明の組合せ後の断面図に示されるように、キー１の押圧部１３の下端面が下向きに弾性手段５５の円弧面を押圧することにより、弾性手段５５が、スイッチケース２上壁の位置決め凹部２１２を中心として逆時計回り（右方向）に回転し、並びに該揺動接触手段５を右向きに押動し、揺動接触手段５がその下方の凹溝２５１を中心として、時計回りに揺動し、第２接点５４と合金片３の第１接点３４を接触させる。この時、電気回路は、第１接触端子２４より合金片３、第１接点３４、第２接点５４、揺動接触手段５を介して第２接触端子２５に至り、電気回路がオンの状態を呈し、該弾性手段５５の円弧が押動されて引き伸ばされ、原状回復の弾力を蓄積する。
【００２１】
本発明の電気回路がオン状態からオフ状態となる時、図６に示されるように、使用者がキー１を押す時、凹溝１１中に位置する弾性手段（圧縮バネ）１４が圧縮されて、上向きの回復の弾力を蓄積し、環状階段状道１２内部の多角凸部１２１の頂点に位置する位置決めロッド４１が、図６のｃに示されるように、右側の比較的突出する部分の制限を受けるため、該位置決めロッド４１が逆時計回りの方向に、環状階段状道１２に沿って左上角に移動する。これは図６のｄに示されるとおりである。使用者が、キー１を離すと、キー１全体が弾性手段（圧縮バネ）１４の回復弾力を受けて上向きに回復し、位置決めロッド４１が逆時計回りの方向に、環状階段状道１２の経路に沿って底端に戻り、回路をオフの状態とする。これは図６のａに示されるとおりである。
【００２２】
これと同時に、キー１の押圧部１３が弾性手段５５と揺動接触手段５を押圧する状態（図４参照）から、上向きに移動し並びに押圧部１３の下端面が僅かに弾性手段５５の円弧面に接触する状態に回復する（図３参照）。これと同時に、弾性手段５５が押圧部１３による押圧力を失い、引き伸ばされた円弧が、自身の弾性回復力により原状に回復し並びに下方の揺動接触手段５を、その下方の凹溝２５１を中心として、逆時計回り（左方向）に揺動せしめ、これにより第２接点５４と第１接点３４を分離させ、回路のオフ状態を形成する。
【００２３】
以上は、本発明の正常な使用状態下での、キー１押圧によるスイッチのオン或いはオフの状況の説明であった。
【００２４】
電流オーバーロードの時は、図５に示されるように、本発明の合金片３が熱を受けてひずみを発生し、その上端のひずみが左方向に向けての変形移動とされ、弾性片３２が右向きに跳脱し、これにより第１接点３４が右向きに跳脱して第２接点５４と分離し、回路のオフの状態を形成する。且つ、スイッチケース２に設けられたストッパロッド２８が右向きに跳脱した弾性片３２に当接し、過度の跳脱を防止し、並びに合金片３が冷却され原状に回復する過程での支持の支点を与え、該弾性片３２の下端を左向きに順調に弾性回復させる。
【００２５】
これと合金片３が左向きに位置決め手段４の押動片４４を押動し、これにより位置決め手段４及び位置決めロッド４１を左に移動させ、さらに図７のｃに示されるように、もともと環状階段状道１２の内部に位置していた多角凸部１２１頂点の位置決めロッド４１は、環状階段状道１２に沿って左に移動し（図７のｄ参照）、このとき、キー１は下向きの圧力を受けないため、キー全体が弾性手段（圧縮バネ）１４の回復弾力を受けて上向きに弾性回復し、位置決めロッド４１が環状階段状道１２の経路に沿って底端に至り（図７のａ参照）、回路のオフ状態を形成する。この状態で、図３に示されるように、合金片３が冷却されて原状に回復する時、該合金片３の第１接点３４と第２接点５４が一定の距離を保持し、回路のオフの状態を保持する。
【００２６】
以上は本発明の詳細な説明であるが、以上の説明は本発明の実施例の説明に過ぎず、本発明の実施の範囲を限定するものではなく、本発明に基づきなしうる細部の修飾或いは改変であって本発明と同じ効果を有する事項は、いずれも本発明の請求範囲に属するものとする。
【００２７】
【発明の効果】
本発明のスイッチブレーカ装置は、キー、スイッチケース、位置決め手段、スイングコンタクト、合金片で組成されたブレーカ装置であり、キーを押すと、キーに設けられた環状階段状路と位置決め手段に設けられた位置決めロッドが連動して循環位置決め関係を発生し、キーを下向き或いは上向きに位置決めする時、該キーの底部がスイングコンタクトを押動させるか或いは釈放し、スイングコンタクトの接点が合金片の接点と接触或いは分離し、回路の導通或いは遮断状態を形成する。回路が導通状態で、電流がオーバロードで過熱する時、合金片が温度上昇により伸長してひずみ、該合金片が跳脱してその接点がスイングコンタクトの接点との接触より離脱し、回路を遮断し、また合金片が位置決め手段を押動して位置決め手段の位置決め棒を環状階段状道の位置決め点より離脱させ、キーをもとの回路遮断位置に弾性により回復させ、電力使用の安全を確保する。
【図面の簡単な説明】
【図１】本発明の実施例の分解斜視図である。
【図２】本発明のキーの斜視図である。
【図３】本発明の実施例の組合せ後の断面図であり、本発明の実施例のオフの状況を示す。
【図４】本発明の実施例の組合せ後の断面図であり、本発明の実施例のオンの状況を示す。
【図５】本発明の実施例の組合せ後の断面図であり、本発明の実施例の、電流オーバーロード時に、合金片が跳脱して回路遮断（ＯＦＦ）する状況を示す。
【図６】本発明の実施例の組合せ後の断面図であり、一般状態下で、キーを押し、開放する時、キーの環状階段状道と位置決めロッドの連動相対位置図である。
【図７】本発明の実施例の組合せ後の断面図であり、電流オーバーロード過熱時に、合金片が位置決め手段を押動してキーの環状階段状道と位置決めロッドを連動させる相対位置図である。
【符号の説明】
１  キー
１１  凹溝
１２  環状階段状道
１２１  多角凸部
１３  押圧部
１４  弾性手段（圧縮バネ）
２  スイッチケース
２０  カバー
２０１  結合孔
２０２  結合手段（リベット）
２１  開口
２１２  位置決め凹部
２２  第１挿入溝
２３  第２挿入溝
２４  第１接触端子
２５  第２接触端子
２５１  凹溝
２５２  位置決め凹溝
２６  穿孔
２７  凸棒
２８  ストッパロッド
２９  結合孔
３  合金片
３１  支持足
３２  弾性片
３３  穿孔
３４  第１接点
４  位置決め手段
４０  位置決め部
４１  位置決めロッド
４２  凸棒孔
４３  凸棒孔
４４  押動片
５  揺動接触手段
５１  位置決め凸塊
５２  結合凹部
５３  穿孔
５４  第２接点
５５  弾性手段
５５１  係止足
【図１】
0003766281.tif 000002
【図２】
0003766281.tif 000003
【図３】
0003766281.tif 000004
【図４】
0003766281.tif 000005
【図５】
0003766281.tif 000006
【図６】
0003766281.tif 000007
【図７】
0003766281.tif 000008